(57)【特許請求の範囲】
【請求項１】
プラスチック材料で形成された本体を備え、前記本体は、少なくとも一部が透明材料により形成され、該透明材料で形成された部分の裏面には、接着剤層の上に分散散布された色付き又は光沢性の微細片と該色付き又は光沢性の微細片の上から施された塗装層とが形成されたことを特徴とする電話機。
【請求項２】
表示パネルと前記表示パネルの外側に該表示パネルに対して間隔をもって配置された透明保護板とからなる表示部を備える電話機であって、
前記透明保護板は、前記表示パネルに対応する透明部と該透明部の外側の周辺部とからなり、前記周辺部は透明材料により形成され、該周辺部の裏面には接着剤層の上に分散散布された色付き又は光沢性の微細片と該色付き又は光沢性の微細片の上から施された塗装層とが形成されたことを特徴とする電話機。
【請求項３】
請求項１または２のいずれかに記載した電話機であって、前記色付き又は光沢性の微細粉は金属箔であることを特徴とする電話機。
【請求項４】
請求項１から３までのいずれか１項に記載した電話機であって、該電話機は携帯電話機であることを特徴とする電話機。
【発明の詳細な説明】
【０００１】
【発明の属する技術分野】本発明は、電話機に関する。特に、本発明は、電話機の本体構造に関する。
【０００２】
【従来の技術】テレビ受像器やパーソナルコンピュータのディスプレイ画面まわりのフレームを光沢ある形に仕上げて外観を向上させようとする試みは、色々な形で行われている。これらの試みが好評を博していることから、他の製品にも同様な試みが広がっており、電話機の場合も例外でない。一般に、製品に光沢性の外観を与えるには、１回の塗装では不十分で、通常は、一旦塗装を施した後に、その上から透明の光沢ある塗装を施すのが普通である。しかし、電話機は安価であることが必須の命題であり、この従来の手法をそのまま採用することはできない。
【０００３】
【発明が解決しようとする課題】本発明の課題は、安価で、しかも光沢仕上げの外観をもった装飾性の電話機本体を得ることである。
【０００４】
本発明の他の課題は、電話機を夜間でも見つけ易いようにすることである。
【０００５】
【課題を解決するための手段】上記課題を解決するため、本発明による電話機は、プラスチック材料で形成された本体を備え、該本体は、少なくとも一部が透明材料により形成され、該透明材料で形成された部分の裏面には、接着剤層の上に分散散布された色付き又は光沢性の微細片と該色付き又は光沢性の微細片の上から施された塗装層とが形成される。塗装は、通常の塗装でもよいが、メタリック塗装とすることもできる。
【０００６】
本発明の他の態様による電話機においては、本体は、少なくとも一部が透明材料により形成され、該透明材料で形成された部分には、蓄光材料が所定割合で、例えば５％ないし１０％の割合で混合される。
【０００７】
本発明の別の態様においては、本体は、少なくとも一部が着色又は無色の透明材料により形成され、該透明材料で形成された部分には色付き又は光沢性材料の微細粉が分散含有される。この微細粉は、金属箔とすることが好ましい。
【０００８】
本発明の他の態様においては、電話機の本体は、表示パネルと前記表示パネルの外側に該表示パネルに対して間隔をもって配置された透明保護板とからなる表示部を備える。透明保護板は、表示パネルに対応する透明部と該透明部の外側の周辺部とからなり、周辺部には塗装が施される。この塗装層は、夜光性塗料により形成する。この構成によれば、周囲が暗い状態でも電話機の所在を容易に認識することができるようになり、携帯電話機の場合には非常に便利である。この態様による電話機は、表示部の透明保護板の周辺部を装飾目的に利用でき、廉価でかつ容易に装飾機能を得ることが可能になる。
【０００９】
本発明のさらに他の態様による電話機は、透明保護板は、表示パネルに対応する透明部と該透明部の外側の周辺部とからなり、該周辺部は透明材料により形成され、該周辺部の裏面には接着剤層の上に分散散布された色付き又は光沢性の微細片と該色付き又は光沢性の微細片の上から施された塗装層とが形成される。周辺部は、表側が透明保護板の表面により得られる光沢面であり、該透明保護板を通して色付き又は光沢性の微細片と塗装層が透視できるので、外側の見栄えが良くなる。さらに、この塗装は、通常の塗装と変わりはなく、光沢塗装に比べて非常に安価に形成できる。
【００１０】
本発明のさらに別の態様においては、透明保護板の周辺部が着色又は無色の透明材料により形成され、該透明材料で形成された部分には色付き又は光沢性材料の微細粉が分散含有される。この場合、微細粉は金属箔とすることが好ましい。
【００１１】
【発明の実施の形態】以下、本発明の実施の形態を図面を参照して説明する。図は、本発明を携帯電話機に実施した例を示すものである。図示の携帯電話機１は、アクリル、ポリカーボネート、或いはＡＢＳ樹脂のようなプラスチック材料の成形により形成された裏側本体２と表側本体３とからなる電話機本体４を備える。裏側本体２には、上方に向かって伸縮自在なアンテナ２ａが設けられている。表側本体３には、通常の携帯電話機におけると同様にダイヤルその他の操作ボタン５が配置されている。
【００１２】
表側本体３は又、矩形形状の表示窓３ａを備え、この表示窓３ａに液晶表示パネル６が配置されている。表側本体３には、表示窓３ａを囲む領域に凹部７が形成され、この凹部７に透明保護板８が嵌め込まれている。透明保護板８は、アクリル樹脂やポリカーボネートのようなプラスチック材料により形成することが好ましいが、他の透明材料により形成することも勿論可能である。
【００１３】
図示の実施形態では、保護板８は、表側本体３の表示窓３ａに配置された表示パネル６に対応する位置に、該表示パネル６とほぼ同じ大きさ及び形状の透明部８ａを有し、該透明部８ａの周辺に周辺部８ｂを有する。透明部８ａは、図４に示すように、表示パネル６の面から所定の距離Ｄだけ離れて配置される。図示例では、この距離Ｄは約３ｍｍである。
【００１４】
図６に示すように、透明部８ａの表側は、凸状の球面凸レンズを形成する。通常の携帯電話機の表示パネル寸法である３０ｍｍ  ｘ  ２３ｍｍ程度の表示パネル寸法の場合、上述のプラスチック材料を使用し、かつ、携帯電話機の携帯性を考えてレンズ中心部厚さを約３ｍｍとすると、この凸レンズは、焦点距離が約１２４  ｍｍになり、上述の距離Ｄを３ｍｍとした場合には、表側の凸レンズだけで約２．５  ％の拡大倍率が得られる。
【００１５】
保護板８の透明部８ａには、裏側に球面凸レンズ機能を有する同心円フレネルレンズ８ｃが形成されている。フレネルレンズ８ｃは、光学中心が表示パネル６の図形中心にほぼ重なるように配置される。フレネルレンズ８ｃは、表示パネル６に表示される文字や記号等の視認性を損なわないようにするために、出来る限り小ピッチの構成にすることが望ましい。望ましいフレネルレンズのフレネルピッチは、０．２  ｍｍ以下である。このフレネルレンズ８ｃと表側の凸レンズとの合成作用により、全体としての拡大倍率を高めることができる。発明者の試算では、拡大倍率を約７．５  ％にすることが可能である。
【００１６】
透明保護板８の周辺部８ｂには裏面に接着剤層９が形成され、該接着剤層９の上に例えば光沢性金属箔或いは着色紙片のような微細片１０が分散配布され、その上に、通常の塗料による塗装層１１が形成される。周辺部８ｂは、表側から見たとき、該周辺部８ｂを構成する透明保護板８の材料が光沢性の表面を形成しており、塗装層１１の色やその上に分散配布された微細片１０が表側から透視できるので、いわゆる光沢塗装に似た外観が得られる。そして、この塗装は、光沢塗装に比べて安価に形成でき、実用性が高い。
【００１７】
透明保護板８の周辺部８ｂの裏面には、上述した接着剤層９と、その上に分散配布された微細片１０及び塗装層１１に代えて、図８に符号１２で示すように、通常の塗料による塗装を施すこともできる。この場合、塗装を夜光性塗料により行うことができる。この構成を採用することにより、電話機を夜間の暗がりでも発見し易くなり、携帯電話機などの場合に便利である。
【００１８】
さらに、本発明の他の態様においては、周辺部８ｂを形成する透明プラスチック材料にアルミ粉や銅粉のような金属粉を混合し、射出成形することにより、周辺部８ｂ内に光沢性微粉が分散配置された構成とすることができる。この場合には、透明プラスチック材料を着色するか、周辺部の裏面に塗装又はシルク印刷により着色する。
【００１９】
図９は、本発明のさらに別の実施形態を示す断面図である。この実施形態においては、電話機本体４の表側本体３が透明プラスチック材料により形成される。表側本体３の裏面に接着剤層９が形成され、該接着剤層９の上に例えば光沢性金属箔或いは着色紙片のような微細片１０が分散配布され、その上に、通常の塗料による塗装層１１が形成される。電話機本体４の裏側本体２も同様な構成にすることができる。
【００２０】
図１０は、本発明のさらに別の実施形態を示すもので、電話機本体４の表側本体３が、着色又は無色のアクリル、ポリカーボネート等の透明プラスチック材料により形成される。透明プラスチック材料にはアルミニウム又は銅のような金属材料の微粉１０ａが重量比で３％ないし５％混合されており、このプラスチック材料の射出成形により表側本体３が形成される。電話機本体４の裏側本体２も同様な構成とすることができる。このように構成された電話機本体は、外面が光沢ある外観を呈し、金属材料の微粉１０ａが光り輝いて、外側からみたとき装飾的な美観を与える。透明プラスチック材料が無色又は薄い着色の場合には、裏面に塗装又は印刷による着色を施してもよい。
【００２１】
さらに、本発明においては、電話機本体４の表側本体３又は該表側本体３と裏側本体２の両方を透明プラスチック材料により形成し、その裏面に夜光性の塗装を施すこともできる。また、別の構成として、透明プラスチック材料に蓄光性材料を重量割合で５％ないし１０％の範囲で含有させ、電話機本体は太陽光や蛍光灯の光の刺激を受けてエネルギを吸収し、夜間でも発光するように構成することができる。
【００２２】
以上、本発明の実施形態を携帯電話機について説明したが、本発明は、電話機の種類を問わず適用可能である。
【図面の簡単な説明】
【図１】本発明の一実施形態による携帯電話機の斜視図である。
【図２】図１に示す携帯電話機の正面図である。
【図３】図１の携帯電話機から透明保護板を外した状態を示す斜視図である。
【図４】図１の携帯電話機を一部断面で示す側面図である。
【図５】図１の携帯電話機に使用される透明保護板の正面図である。
【図６】透明保護板の断面図である。
【図７】透明保護板の一部を拡大して示す断面図である。
【図８】本発明の他の実施形態を示す図７と同様な断面図である。
【図９】本発明のさらに他の実施形態を示す断面図である。
【図１０】本発明のさらに他の実施形態を示す断面図である。
【符号の説明】
１・・・携帯電話機、４・・・電話機本体、６・・・液晶表示パネル、
８・・・透明保護板、８ａ・・・透明部、８ｂ・・・周辺部、
８ｃ・・・フレネルレンズ、９・・・接着剤層、１０・・・微細片、
１１・・・塗装層、
【図１】
0003559223.tif 000002
【図２】
0003559223.tif 000003
【図３】
0003559223.tif 000004
【図４】
0003559223.tif 000005
【図５】
0003559223.tif 000006
【図６】
0003559223.tif 000007
【図７】
0003559223.tif 000008
【図８】
0003559223.tif 000009
【図９】
0003559223.tif 000010
【図１０】
0003559223.tif 000011